(57)【要約】【課題】電子機器の設定情報を効率良く収集することができるサーバー装置、設定情報を上記サーバー装置に送信できる電子機器及び上記電子機器を用いた設定情報送信方法を提供する。【解決手段】サーバー装置２は、通信ネットワークを介して複数の電子機器に接続されている。サーバー装置２は、設定をカスタマイズすることができ、設定情報を送信できる複数の電子機器から送信される設定情報を電子機器の機種毎に収集する設定情報収集部２ａを備えている。【選択図】      図１
2010010927.tif 000002
【特許請求の範囲】
【請求項１】
通信ネットワークを介して複数の電子機器に接続されるサーバー装置であって、
設定をカスタマイズすることができ、設定情報を送信できる前記複数の電子機器から送信される設定情報を前記電子機器の機種毎に収集する設定情報収集部を備えたサーバー装置。
【請求項２】
前記設定情報収集部は、前記収集した設定情報を前記電子機器の機種毎に記憶する設定情報記憶部を有している請求項１に記載のサーバー装置。
【請求項３】
通信ネットワークを介してサーバー装置に接続される電子機器であって、
設定をカスタマイズ可能に制御し、前記電子機器の機種毎に設定情報を収集するサーバー装置に設定情報を送信する制御部を備えた電子機器。
【請求項４】
前記制御部は、前記設定情報を設定条件に応答して自動的に送信する請求項３に記載の電子機器。
【請求項５】
前記制御部は、前記設定情報を送信していいのか使用者に認証させる認証手段を有し、使用者が前記設定情報を送信することを認証した場合、前記設定情報を送信する請求項３に記載の電子機器。
【請求項６】
通信ネットワークを介してサーバー装置に接続される電子機器から、
設定をカスタマイズ可能に制御し、前記電子機器の機種毎に設定情報を収集するサーバー装置に設定情報を送信する設定情報送信方法。
【発明の詳細な説明】
【技術分野】
【０００１】
この発明は、サーバー装置、電子機器及び設定情報送信方法に関する。
【背景技術】
【０００２】
近年、電子機器として、例えばテレビジョン受像機は、ローカルエリアネットワークに接続することで、情報を送受信することが可能である。ローカルエリアネットワークを介して情報を送受信する技術は様々な分野で利用されている。
【０００３】
例えば、ローカルエリアネットワークを介して家電機器を制御する技術が開示されている（例えば、特許文献１参照）。また、ローカルエリアネットワークを介して、データ放送受信装置と応答サーバーとの間で、ユーザ情報を効率的に確実に管理する技術が開示されている（例えば、特許文献２参照）。その他、ローカルエリアネットワークを介して、テレビ番組の視聴状況を収集する技術が開示されている（例えば、特許文献３参照）。
【特許文献１】特表２００４−５１７５５４号公報
【特許文献２】特開平９−２２４２３６号公報
【特許文献３】特開２００７−１４２９００号公報
【発明の開示】
【発明が解決しようとする課題】
【０００４】
上記電子機器において、例えばテレビジョン受像機は、設定をカスタマイズすることができる。このため、使用者は、自分好みに設定してテレビジョン受像機を使用することができる。ところで、製造者は、使用者の設定の傾向を把握できれば、その傾向を次機種の設定の際に参考資料として用いることができる。このため、電子機器の設定情報を効率良く収集することができる設定情報収集システムを実現することが望まれる。  
この発明は以上の点に鑑みなされたもので、その目的は、電子機器の設定情報を効率良く収集することができるサーバー装置、設定情報を上記サーバー装置に送信できる電子機器及び上記電子機器を用いた設定情報送信方法を提供することにある。
【課題を解決するための手段】
【０００５】
上記課題を解決するため、本発明の態様に係るサーバー装置は、
通信ネットワークを介して複数の電子機器に接続されるサーバー装置であって、
設定をカスタマイズすることができ、設定情報を送信できる前記複数の電子機器から送信される設定情報を前記電子機器の機種毎に収集する設定情報収集部を備えている。
【０００６】
また、本発明の他の態様に係る電子機器は、
通信ネットワークを介してサーバー装置に接続される電子機器であって、
設定をカスタマイズ可能に制御し、前記電子機器の機種毎に設定情報を収集するサーバー装置に設定情報を送信する制御部を備えている。
【０００７】
また、本発明の他の態様に係る設定情報送信方法は、
通信ネットワークを介してサーバー装置に接続される電子機器から、
設定をカスタマイズ可能に制御し、前記電子機器の機種毎に設定情報を収集するサーバー装置に設定情報を送信する。
【発明の効果】
【０００８】
この発明によれば、電子機器の設定情報を効率良く収集することができるサーバー装置、設定情報を上記サーバー装置に送信できる電子機器及び上記電子機器を用いた設定情報送信方法を提供することができる。
【発明を実施するための最良の形態】
【０００９】
以下、図面を参照しながらこの発明の実施の形態に係る電子機器及びサーバー装置で形成された設定情報収集システム、設定情報収集方法及び設定情報送信方法について詳細に説明する。ここでは、テレビジョン受像機及びテレビジョン受像機の設定情報を収集するサーバー装置で形成された設定情報収集システム、設定情報収集方法及び設定情報送信方法について詳細に説明する。
【００１０】
図１に示すように、設定情報収集システムは、複数の電子機器として複数のテレビジョン受像機１と、情報収集用のサーバー装置２と、を備えている。テレビジョン受像機１は、通信ネットワークとしてのローカルエリアネットワーク３に接続され、設定をカスタマイズすることができる。テレビジョン受像機１は、設定情報を送信することができるものである。サーバー装置２は、ローカルエリアネットワーク３に接続されている。サーバー装置２は、ローカルエリアネットワーク３を介してテレビジョン受像機１から送信される設定情報をテレビジョン受像機の機種毎に収集する設定情報収集部２ａを備えている。設定情報収集部２ａは、収集した設定情報をテレビジョン受像機の機種毎に記憶する設定情報記憶部２ｂを有している
次に、テレビジョン受像機１について説明する。図２は、上記テレビジョン受像機１の主要な信号処理系を示している。図３は、リモートコントローラ７２の外観を示している。
【００１１】
図２及び図３に示すように、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００１２】
チューナ４５で選局された放送信号は、ＰＳＫ（Phase Shift Keying）復調器４６に供給されて、デジタルの映像信号及び音声信号に復調された後、信号処理部４７に出力される。
【００１３】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００１４】
チューナ５０で選局された放送信号は、ＯＦＤＭ（Orthogonal Frequency Division Multiplexing）復調器５１に供給されて、デジタルの映像信号及び音声信号に復調された後、信号処理部４７に出力される。
【００１５】
また地上波アナログ信号を受信するアナログチューナ５８も設けられている。アナログチューナ５８で受信された信号は、アナログ復調器５９で復調され信号処理部４７に出力される。
【００１６】
ここで信号処理部４７は、ＰＳＫ復調器４６から供給されたデジタルの映像信号及び音声信号と、ＯＦＤＭ復調器５１から供給されたデジタルの映像信号及び音声信号と、アナログ復調器５９から供給された映像信号及び音声信号と、さらにライン入力端子からの映像信号及び音声信号とに対して、選択的に所定のデジタル信号処理を施し、グラフィック処理部５２及び音声処理部５３に出力している。
【００１７】
このうち、グラフィック処理部５２は、信号処理部４７から供給されるデジタルの映像信号に、ＯＳＤ（On Screen Display）信号生成部５４で生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００１８】
グラフィック処理部５２から出力されたデジタルの映像信号は、映像処理部５５に供給される。この映像処理部５５は、入力されたデジタルの映像信号を、映像表示部５７で表示可能なフォーマットの映像信号に変換し、映像表示部５７に出力して映像表示させる。
【００１９】
上記音声処理部５３は、入力されたデジタルの音声信号を、スピーカ５６で再生可能なフォーマットのアナログ音声信号に変換し、スピーカ５６に出力して音声再生させる。
【００２０】
ここで、テレビジョン受像機１は、上記した各種の受信動作を含むその全ての動作を制御部６１によって統括的に制御されている。この実施の形態において、制御部６１はマイクロコンピュータである。
【００２１】
制御部６１は、ＣＰＵ（Central Processing Unit）等を内蔵している。操作部７１からの操作情報を受けたとき、または、リモートコントローラ７２から送出された操作情報を受光部７３から受信したとき、制御部６１は、その操作内容が装置に反映されるように各部を統括して制御している。
【００２２】
この場合、制御部６１は、主として、そのＣＰＵが実行する制御プログラムを格納したＲＯＭ（Read Only Memory）６１１と、上記ＣＰＵに作業エリアを提供するＲＡＭ（Random Access Memory）６１２と、各種の設定情報及び制御情報等が格納される不揮発性メモリ６１３とを利用している。
【００２３】
制御部６１は、カードＩ／Ｆ（Interface）７５を介して、第１のメモリカード７７が装着可能なカードホルダ７６に接続されている。これによって、制御部６１は、カードホルダ７６に装着された第１のメモリカード７７と、カードＩ／Ｆ７５を介して情報の送受信を行なうことができる。制御部６１は、図示していないが、さらに別のカードＩ／Ｆを介して、第２のメモリカードが装着可能なカードホルダに接続されてもよい。
【００２４】
制御部６１は、通信Ｉ／Ｆ８１を介して第１のＬＡＮ端子８２に接続されている。第１のＬＡＮ端子８２は、上記ローカルエリアネットワーク３に接続されている。これにより、制御部６１は、第１のＬＡＮ端子８２を介して情報の送受信を行なうことができる。
【００２５】
制御部６１は、ＵＳＢ Ｉ／Ｆ８３を介してＵＳＢ端子８４に接続されている。これにより、制御部６１は、ＵＳＢ端子８４に接続された各機器と、ＵＳＢ Ｉ／Ｆ８３を介して情報の送受信を行なうことができる。例えば、ＵＳＢ端子８４に、ＵＳＢ対応のＨＤＤ（ハードディスクドライブ装置）が接続されている。
【００２６】
上記制御部６１は、ｉ．Link（登録商標） Ｉ／Ｆ８５を介してｉ．Link（登録商標）端子８６に接続されている。これにより、制御部６１は、ｉ．Link（登録商標）端子８６に接続された各機器と、ｉ．Link（登録商標）Ｉ／Ｆ８５を介して情報の送受信を行なうことができる。
【００２７】
上記制御部６１は、ＨＤＭＩ（High Definition Multimedia Interface）規格に合致したＨＤＭＩ I/F ８７を介してＨＤＭＩ端子８８に接続された各機器と情報の送受信を行なうことができる。
【００２８】
さらに制御部６１は、番組表情報を処理する番組情報処理部６２１と、メニュー画面調整部６２２を有する。さらに後で詳しく説明するように番組表の表示状態を制御する番組表画面調整部６２３と、オンエアー画面調整部６２４を含む。また利用者がリモートコントローラ７２を介して装置を操作するとき、カーソル移動位置などを制御するカーソル位置制御部６２５も有する。なお制御部６１内の各ブロックはソフトウエアにより構成されていてもよい。
【００２９】
リモートコントローラ７２には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００３０】
番組表キー１７ｈを押すと、番組表が表示される。終了キー１７１を押すと、オンエアー（現在受信中のチャンネルの映像の表示）状態に戻る。
【００３１】
オンエアー状態においてクイックキー１７ｅを押すと、図４に示すように、映像表示部５７の画面は、オンエアー画面上にクイックメニューが表示される。即ち、図４（Ａ）はオンエアー表示状態であり、図４（Ｂ）はクイックメニュー５７１表示状態である。メニュー項目としては、例えば「画面サイズ切換」、「映像設定」、「音声設定」、「その他の設定」がある。カーソルキーを操作して、所望の項目にカーソルが合わせられる。図４（Ｂ）の例は、カーソルが映像設定に合わせられた状態を示している。
【００３２】
この状態で、決定キーを押すと、図４（Ｃ）のように映像の調整項目５７２が表示される。調整項目５７２としては、例えば、「黒レベル」、「色の濃さ」、「色合い」、「シャープネス」、「色温度」、「ダイナミックガンマ」、「Ｖエンハンサー」がある。調整を行なうには、所望の項目にカーソルが合わせされる。そして、例えばページ切換キー１７ｉの操作（或いはアップダウンキー１７ｎでもよい）により、調整位置を示す縦バーを右或いは左方向へ移動させることで調整することができる。
【００３３】
映像の調整は、制御部６１の映像調整部６２６で行われる（図５）。このため、例えば、サーバー装置２は、テレビジョン受像機１から送信される映像設定情報をテレビジョン受像機の機種毎に収集することができる。なお、映像設定情報はデータとして記憶され、ここでは、不揮発性メモリ６１３に格納されている。そして、不揮発性メモリ６１３に格納されている映像設定情報は、ＬＡＮ端子８２からローカルエリアネットワーク３を介してサーバー装置２に収集される。
【００３４】
また、サーバー装置２に収集されるテレビジョン受像機１の設定情報としては、上記音声設定情報又はその他の設定情報であっても良い。音声の調整項目としては、例えば、「ノイズリダクション」、「イコライザー」、「サラウンド」、「低音補正」、「低音補正周波数」、「低音補正レベル」、「左右スピーカバランス」、「自動レベル補正」がある。その他の設定項目としては、例えば、「明るさセンサー」、「温度センサー」、「電波受信状況」、「周囲の環境光（ホワイトバランス）」、「省エネ」が挙げられるが、設定（調整）できる項目であれば如何なる項目であっても良い。
【００３５】
音声の調整は、制御部６１の音声調整部６２７で行われ、その他の調整（設定）は、制御部６１の調整部６２８で行われる（図５）。これらの設定情報（音声設定情報及びその他の設定情報）も、不揮発性メモリ６１３に格納されている。そして、不揮発性メモリ６１３に格納されている音声設定情報又はその他の設定情報は、ＬＡＮ端子８２からローカルエリアネットワーク３を介してサーバー装置２に収集される。上述したように、設定情報は複数あるが、複数の設定情報の少なくとも何れか１つがローカルエリアネットワーク３を介してサーバー装置２に収集されれば良い。
【００３６】
テレビジョン受像機１は、設定情報を送信する際、設定条件に応答して自動的に送信するものである。設定条件は、例えば、不揮発性メモリ６１３に格納されている。これにより、テレビジョン受像機１は、電源投入時や一定時間毎に設定情報を自動的に送信するものであっても良い。
【００３７】
テレビジョン受像機１は、設定情報を送信していいのか使用者に認証させる認証手段を有している。ここでは、認証手段は制御部６１が有している。認証のための制御情報は、例えば、不揮発性メモリ６１３に格納されている。テレビジョン受像機１は、使用者が設定情報を送信することを認証した場合、設定情報を送信するものである。例えば、認証の際、映像表示部５７に、設定情報を送信していいのか表示し、認証する／しないを使用者がリモートコントローラ７２の操作で行えるよう構成されていれば良い。
【００３８】
以上のように構成されたテレビジョン受像機及びサーバー装置で形成された設定情報収集システム、設定情報収集方法及び設定情報送信方法によれば、設定情報収集システムは、複数のテレビジョン受像機１と、サーバー装置２とを備えている。サーバー装置２は、ローカルエリアネットワーク３を介してテレビジョン受像機１から送信される設定情報を収集することができる。
【００３９】
これにより、設定情報を効率良く収集することができ、使用者の設定の傾向を把握することができるため、例えば、製造者は、その傾向を次機種の設定の際に参考資料として用いることができる。特に、設定情報を機種毎に把握することができるため、製造者は、次機種の設定の際により詳細な参考資料として用いることができる。  
上記したことから、テレビジョン受像機の設定情報を効率良く収集することができるサーバー装置、設定情報を上記サーバー装置に送信できるテレビジョン受像機、上記サーバー装置を用いた設定情報収集方法及び上記テレビジョン受像機を用いた設定情報送信方法を得ることができる。
【００４０】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。
【００４１】
例えば、テレビジョン受像機１が設定情報を送信していいのか使用者に認証させているが、これに限らず、サーバー装置２が設定情報を送信していいのか使用者に認証させても良い。  
この発明の電子機器は、テレビジョン受像機に限定されるものではなく、ＤＶＤプレーヤーや、パーソナルコンピュータ等、通信ネットワークに接続され、設定をカスタマイズすることができ、設定情報を送信できる電子機器に適用することができる。
【図面の簡単な説明】
【００４２】
【図１】本発明の実施の形態に係るテレビジョン受像機及びサーバー装置で形成された設定情報収集システムの全体構成を示すブロック図。
【図２】上記テレビジョン受像機の構成例を示すブロック図。
【図３】上記テレビジョン受像機のリモートコントローラを示す説明図。
【図４】オンエアー画面調整時における上記テレビジョン受像機の映像表示部の画面例を示す説明図。
【図５】図２に示した制御部の構成をさらに詳細に示す図。
【符号の説明】
【００４３】
１…テレビジョン受像機、２…サーバー装置、２ａ…設定情報収集部、２ｂ…設定情報記憶部、３…ローカルエリアネットワーク、５６…スピーカ、５７…映像表示部、６１…制御部、７１…操作部、７２…リモートコントローラ、８２…ＬＡＮ端子、６１１…ＲＯＭ、６１２…ＲＡＭ、６１３…不揮発性メモリ、６２６…映像調整部、６２７…音声調整部、６２８…調整部。
【図１】
2010010927.tif 000003
【図２】
2010010927.tif 000004
【図３】
2010010927.tif 000005
【図４】
2010010927.tif 000006
【図５】
2010010927.tif 000007